(57)【要約】【課題】浴室壁面との間に注入されるシリコンが切れ難い浴室部材を提供する。【解決手段】浴室壁面から浴室内方側に突出するように取り付けられる浴室部材であって、該浴室部材は、上記浴室壁面と対向する背面板部と、該背面板部から浴室内方側に突出するように配置される突出部とを有し、上記背面板部には、略鉛直状に所定の間隔をあけて突出して形成された複数のリブと、該複数のリブ間に、上記背面板部を上記浴室壁面に取り付けた状態で上下が貫通するように形成されたコーキング剤が注入可能な貫通孔とを備える。【選択図】  図３
2009061172.tif 000002
【特許請求の範囲】
【請求項１】
浴室壁面から浴室内方側に突出するように取り付けられる浴室部材であって、
該浴室部材は、上記浴室壁面と対向する背面板部と、該背面板部から浴室内方側に突出するように配置される突出部と、を有し、
上記背面板部には、略鉛直状に所定の間隔をあけて突出して形成された複数のリブと、
該複数のリブ間に、上記背面板部を上記浴室壁面に取り付けた状態で上下が貫通するように形成されたコーキング剤が注入可能な貫通孔と、を備えたことを特徴とする浴室部材。
【請求項２】
前記貫通孔は、隣り合う前記リブと、該リブ間の背面板部と、前記浴室壁面とから形成されることを特徴とする請求項１記載の浴室部材。
【請求項３】
前記リブ及び前記背面板部は、横断面視で凹凸形状に形成され、その凸部の先端と前記浴室壁面とが接触していることを特徴とする請求項１記載の浴室部材。
【請求項４】
前記凹凸形状は、前記背面板部の全面に亘って繰り返し形成されていることを特徴とする請求項１記載の浴室部材。
【請求項５】
前記背面板部と前記突出部とが交差するコーナー部は、面取りされていることを特徴とする請求項１記載の浴室部材。
【請求項６】
前記リブの上端は、前記面取りの下端より下方に設けられたことを特徴とする請求項５記載の浴室部材。
【請求項７】
前記貫通孔の奥行きは、１ｍｍ以上３ｍｍ以下であることを特徴とする請求項１記載の浴室部材。
【請求項８】
前記貫通孔の幅は、５ｍｍ以上３０ｍｍ以下であることを特徴とする請求項１記載の浴室部材。
【請求項９】
前記突出部は前記背面板部の上端に取り付けられる上面板部と、前記背面板部より下方に配置されると共に、貫通孔から垂れ落ちたコーキング剤を受ける下側板部と、を有していることを特徴とする請求項１記載の浴室部材。
【発明の詳細な説明】
【技術分野】
【０００１】
本発明は、浴室部材に係り、特にカウンターや棚等浴室壁面に取設される浴室部材に関する。
【背景技術】
【０００２】
浴室の壁面には、水栓金具を掩蔽するためのカウンターや洗面器を載せるためのカウンター、また石けんやシャンプーボトルを置くための棚等種々の浴室部材が取り付けられる。
【０００３】
これら浴室部材は壁パネルにねじ止めされるとともに、ねじ孔から外部へ漏水することを防止するために、壁パネルと接する面の周囲（以下、「接続線」という。）はシリコンによりコーキングされる。
【０００４】
しかしながら、浴室部材には自重に加え積載荷重が載荷されるため、浴室壁面との接触部を支点として回転モーメントがかかり、接続線のシリコンが切れ易く、見栄えや止水性が悪化するという問題がある。
【０００５】
浴室部材の支持材の強度を大きくすれば、この問題は解決できるが、コスト高になる。他の解決策として、シリコンの接着面積を大きくすることが考えられるが、それには、浴室部材の接続線部分に、Ｒや三角の面取りを施すだけでは不十分である。
【０００６】
そこで、浴槽部材上面の側縁に沿って凸条を設け、この凸条の上部の壁側にコーキング代が設けられ、該コーキング代にコーキングを施すものがある（例えば、特許文献１参照。）。
【０００７】
これにより、シリコンの接着面積は増加するが、下面が閉鎖されているので、エアが残りシリコンが下方まで落ちないおそれがある。これを放置したのでは接着面積を稼ぐことができず、エアを抜くことに留意しながら施工したのでは施工性が悪化する。
【０００８】
他方、図６に示すように、浴室部材１００の接続線の角をＲや三角に面取り１０１するとともに、さらに凹状の切り欠き１０２を形成しておき、そこにシリコン１０３を注入する方法もあるが、エアが残る問題については、特許文献１に記載されたもの同様解消されないため、やはりシリコンが下方まで落ちないおそれがある。
【０００９】
【特許文献１】特許第３７５９８４０号公報
【発明の開示】
【発明が解決しようとする課題】
【００１０】
本発明は、上述した事情を考慮してなされたもので、浴室壁面との間に注入されるシリコンが切れ難い浴室部材を提供することを目的とするものである。
【課題を解決するための手段】
【００１１】
本発明に係る浴室部材は、上述した課題を解決するために、請求項１に記載したように、浴室壁面から浴室内方側に突出するように取り付けられる浴室部材であって、該浴室部材は、上記浴室壁面と対向する背面板部と、該背面板部から浴室内方側に突出するように配置される突出部とを有し、上記背面板部には、略鉛直状に所定の間隔をあけて突出して形成された複数のリブと、該複数のリブ間に、上記背面板部を上記浴室壁面に取り付けた状態で上下が貫通するように形成されたコーキング剤が注入可能な貫通孔とを備えたものである。
【００１２】
前記貫通孔は、好適には、請求項２に記載したように、隣り合う前記リブと、該リブ間の背面板部と、前記浴室壁面とから形成されるものとすることができる。
【００１３】
また、前記リブ及び前記背面板部は、好適には、請求項３に記載したように、横断面視で凹凸形状に形成され、その凸部の先端と前記浴室壁面とが接触しているものとすることができる。
【００１４】
そして、前記凹凸形状は、好適には、請求項４に記載したように、前記背面板部の全面に亘って繰り返し形成されていることが望ましい。
【００１５】
さらに、前記背面板部と前記突出部とが交差するコーナー部は、好適には、請求項５に記載したように、面取りされていてもよく、前記リブの上端は、より好適には、請求項６に記載したように、前記面取りの下端より下方に設けられることが望ましい。
【００１６】
他方、前記貫通孔の奥行きは、好適には、請求項７に記載したように、１ｍｍ以上３ｍｍ以下とすることができ、前記貫通孔の幅は、好適には、請求項８に記載したように、５ｍｍ以上３０ｍｍ以下とすることができる。
【００１７】
加えて、好適には、請求項９に記載したように、前記突出部は前記背面板部の上端に取り付けられる上面板部と、前記背面板部より下方に配置されると共に、貫通孔から垂れ落ちたコーキング剤を受ける下側板部と、を有していてもよい。
【発明の効果】
【００１８】
本発明に係る浴室部材によれば、浴室壁面との間に注入されるシリコンが切れ難いようにすることができる。
【発明を実施するための最良の形態】
【００１９】
本発明に係る浴室部材の実施の形態について、添付図面を参照して説明する。図１は、本発明に係る浴室部材の一実施形態を備える浴室ユニットの概観図である。
【００２０】
洗い場を囲う三方の浴室壁面１の一つには、洗い場水栓２が突設され、その頂部に、本発明に係る浴室部材たる天棚３が取り付けられ、髭剃り器具等が置けるようになっている。
【００２１】
洗い場水栓２の下方には、洗面器を載せる洗面器カウンター４が同じく壁面から突設され、そのさらに下方には、清掃具等を置くための棚５が突設される。他方、洗い場水栓の上方には、ミラー６の横に、石けんやシャンプーボトルを置くための棚７が二段突設されている。
【００２２】
洗い場水栓２は、図２に示すように、給水管８、給湯管９から湯水の供給を受ける。給水管８、給湯管９の洗面器カウンター４から洗い場水栓２本体までの部分は配管カバー１０により掩蔽される。
【００２３】
供給された湯水は、カラン２ａまたはシャワー接続管２ｂへと放出される。カラン２ａ及びシャワー接続管２ｂへの出水の切り替えは、それぞれカランボタン２ｃ、シャワーボタン２ｄを押すことによって行う。洗い場水栓２本体にはまた、水温調節レバー２ｅが設けられる。
【００２４】
洗い場水栓２頂部に取り付けられた天棚３は、図３に示すように、浴室壁面１と対向する背面板部３ａと、この背面板部３ａから浴室内方側に突出するように配置される突出部３ｂとを有する。
【００２５】
背面板部２ａと突出部３ｂとが交差するコーナー部は、Ｒ状に面取り３ｃされており、背面板部３ａには、略鉛直状に所定の間隔をあけて、面取り３ｃ部から若干下がったところから略下端まで、突出して形成された複数のリブ３ｄが設けられる。なお、この面取り３ｃは三角状のものであってもよい。
【００２６】
この天棚３の取付方法を図４に示す。図４（ａ）に示すように、浴室壁面１に洗い場水栓２が取り付けられると、図４（ｂ）に示すように、その上に天棚支持材１１が取り付けられ、天棚３は、この天棚支持材１１にねじ止めされる。なお、この天棚支持材１１は、本発明の下側板部を構成する。
【００２７】
図５（ａ）は、天棚３が取り付けられ、浴室壁面１との間にシリコンコーキング１２が施された状態における背面板部３ａを示すものである。天棚３が浴室壁面１に取り付けられた状態では、リブ３ｄ及び背面板部３ａは、横断面視で凹凸形状に形成され、その凸部の先端と浴室壁面１とが接触している。そのため、隣り合う２本のリブ３ｄ、背面板部３ａ及び浴室壁面１に囲まれた空間は、上端及び下端が開口して、貫通孔Ｈが形成される。リブ３ｄは、背面板部３ａの全面に亘って、複数設けられており、この凹凸形状は、背面板部３ａの全面に亘って繰り返し形成されている。
【００２８】
前記貫通孔Ｈの奥行き、すなわち、リブ３ｄの厚みは、シリコン注入の効率を考慮して１ｍｍ以上３ｍｍ以下とされる。また、貫通孔Ｈの幅、すなわちリブ３ｄの間隔は、５ｍｍ以上３０ｍｍ以下に形成される。５ｍｍ以下では、リブ３ｄ間にシリコンが進入し難く、３０ｍｍ以上では、背面板部３ａが撓むおそれがあるからである。
【００２９】
シリコンコーキング１２は、その頂部は、面取り３ｃに沿って、略三角状に盛り上がるように施される。そして、シリコンコーキング１２の下端は、リブ３ｄのあるところでは、図５（ｂ）に示すように、リブ３ｄ上端まで到達する。
【００３０】
このリブ３ｄの上端は、面取り３ｃの下端より略３ｍｍ下方に設けられる。これにより、リブ３ｄ上端においても一定以上シリコンコーキング１２の接触面積を確保することが可能となる。
【００３１】
他方、リブ３ｄのないところでは、下端が解放されているので、下端からエアが逃げていき、図５（ｃ）に示すように、シリコンコーキング１２は、さらに下方にまで進入することができる。
【００３２】
これにより、シリコンコーキング１２の接着面積を大きくすることができ、天棚支持材１１の強度を大きくすることなく、天棚３の支持強度を上げることができる。
【００３３】
また、背面板部３ａより下方には、天棚支持材１１が配置されるので、これにより、貫通孔Ｈから垂れ落ちたコーキング剤が受けられ、浴室床面に垂れ落ちる事が防止される。
【００３４】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００３５】
例えば、本実施形態では、洗い場水栓の上に設けられる天棚を例にとって説明したが、本発明はこれに限られることなく、洗面器カウンターに適用することができる。また、その下の棚や、ミラー横の棚に用いてもよい。
【００３６】
さらにこれを拡張し、浴槽リムの側面外側に、天棚と同様のリブを形成し、浴槽と浴室側面との間のシリコンコーキングに採用することも可能である。
【図面の簡単な説明】
【００３７】
【図１】本発明に係る浴室部材の一実施形態を備える浴室ユニットの概観図。
【図２】図１に示された洗い場水栓周りの（ａ）は正面図、（ｂ）は側面図。
【図３】本実施形態に係る浴室部材を背面から見た斜視図。
【図４】天棚取付手順を説明する図で、（ａ）は天棚支持材取付前を示す図、（ｂ）は天棚支持材取付後を示す図。
【図５】本実施形態に係る浴室部材の取り付け状態を示す図で、（ａ）は背面図、（ｂ）は（ａ）のＡ−Ａ断面図、（ｃ）は（ａ）のＢ−Ｂ断面図。
【図６】従来の浴室部材のシリコンコーキング代の一例を示す図。
【符号の説明】
【００３８】
１  浴室壁面
２  洗い場水栓
２ａ  カラン
２ｂ  シャワー接続管
２ｃ  カランボタン
２ｄ  シャワーボタン
２ｅ  水温調節レバー
３天棚
３ａ  背面部
３ｂ  突出部
３ｃ  面取り
３ｄ  リブ
４  洗面器カウンター
５，７  棚
６  ミラー
８  給水管
９  給湯管
１０  配管カバー
１１  天棚支持材
１２  シリコンコーキング
Ｈ  貫通孔
【図１】
2009061172.tif 000003
【図２】
2009061172.tif 000004
【図３】
2009061172.tif 000005
【図４】
2009061172.tif 000006
【図５】
2009061172.tif 000007
【図６】
2009061172.tif 000008